(57)【要約】【課題】排ガス冷却部の早期の温度上昇と、二次空気供給システムによる触媒暖機の促進の両立を図る。【解決手段】排ガス冷却部と、排気通路中に二次空気を導入する二次空気用通路とを有する内燃機関の二次空気導入装置において、二次空気導入口を、前記排ガス冷却部の下流端と、前記排ガス冷却部より上流かつ前記排ガス冷却部のもっとも近くで冷却水通路中の冷却水に冷却される箇所の下流端との間に設ける。前記構成により、排ガス中の未燃焼ガスと二次空気とが反応することによって生じた反応熱の多くを、排ガス冷却部内の冷却水の温度上昇に利用することができる。【選択図】  図４
2010255597.tif 000002
【特許請求の範囲】
【請求項１】
内燃機関の燃焼室で発生した排ガスを車外へ導く排気通路と、該排気通路のうちシリンダヘッドより下流に設けられた触媒と、前記排気通路のうち前記シリンダヘッドと前記触媒の間に設けられ前記排気通路を覆うように冷却水通路が形成された排ガス冷却部と、前記排気通路中に二次空気を導入するための二次空気用通路と、
を有する内燃機関の二次空気導入装置において、
前記二次空気用通路と前記排気通路との連通部である二次空気導入口が、前記排気通路のうち、前記排ガス冷却部の下流端と、前記排ガス冷却部より上流かつ前記排ガス冷却部のもっとも近くで冷却水通路中の冷却水に冷却される箇所の下流端、との間に形成されている
ことを特徴とする内燃機関の二次空気導入装置。
【請求項２】
前記二次空気導入口が、前記排気通路のうち、前記シリンダヘッド内に形成された冷却水通路の下流端と、前記シリンダヘッドの下流で前記シリンダヘッドのもっとも近くに設けられた排ガス冷却部の上流端、との間に形成された
ことを特徴とする請求項１に記載の内燃機関の二次空気導入装置。
【請求項３】
前記シリンダヘッドの側部には、内部に前記排ガス冷却部を有する排ガス冷却アダプタが取り付けられ、
前記排ガス冷却アダプタには二次空気用通路が形成されていることを特徴とする請求項１または２に記載の内燃機関の二次空気導入装置。
【請求項４】
前記排ガス冷却アダプタ内に設けられた二次空気用通路が前記排ガス冷却アダプタ内の冷却水通路を循環する冷却水によって冷却されることを特徴とする請求項１から３のいずれかに記載の内燃機関の二次空気導入装置。
【発明の詳細な説明】
【技術分野】
【０００１】
本発明は、内燃機関の二次空気導入装置に関する。
【背景技術】
【０００２】
自動車の排ガス規制対策として、排気通路途中に触媒を設置して排ガス中のHCやCO等の未燃焼物質を浄化する構成が知られている。しかし、内燃機関が高負荷状態や高回転状態である時などは排ガスの温度が非常に高温となり、触媒が熱劣化してしまう可能性がある。そこで、内燃機関から排出される高温の排ガスによる触媒の熱劣化を防ぐために、シリンダヘッドと触媒の間の排気通路の周囲に冷却水通路が形成された排ガス冷却部を有する内燃機関が知られている（例えば特許文献１）。この冷却水通路中の冷却水が排ガスから熱を奪うことによって、排ガスの温度低下が図られ、触媒の熱劣化が防止される。また、同様の効果を奏するものとして、シリンダヘッドと排気マニホルドとの間に排ガス冷却用アダプタが介装されたものも知られている（例えば特許文献２）。この排ガス冷却用アダプタの内部には排ガス冷却部が形成され、排ガス冷却用アダプタ内の排気通路を通過する排ガスの温度の低下が図られる。
【０００３】
一方、機関始動時には触媒は暖機しておらず未活性状態であるため、排ガス中の未燃焼物質が十分に浄化されない。そこで、触媒上流側の排気通路に外気を二次空気として導入し、排ガス中の未燃焼物質と二次空気中の酸素を反応させ、その反応熱で触媒を早期に暖機するようにしたものがある（例えば特許文献３）。なお、排ガス中の未燃焼物質は、高温であるほど二次空気とより反応することが知られている。したがって、排気通路への二次空気の導入箇所は、排ガスの温度が高温である燃焼室にできるだけ近い箇所が望まれる。
【先行技術文献】
【特許文献】
【０００４】
【特許文献１】実開昭６１−１３４５１３号
【特許文献２】実開昭６２−１４５９２９号
【特許文献３】特開２００７−３０９１３６号
【発明の開示】
【発明が解決しようとする課題】
【０００５】
上述のように、触媒を通過する排ガスは、内燃機関の始動時においては触媒を早期に暖機するために加熱されることが望ましく、一方、内燃機関の運転状態が高回転時や高負荷時には触媒の熱劣化を防止するために冷却されることが望ましい。したがって、始動時の排ガス温度上昇のために二次空気導入装置を有し、さらに、内燃機関の高回転時や高負荷時のために排ガス冷却部も有する内燃機関が考えられる。
【０００６】
しかし、上記のような内燃機関では以下の問題が生じる。すなわち、内燃機関の暖機時において二次空気の導入による触媒の早期暖機が図られる場合、二次空気と排ガス中の未燃焼物質との反応により生じた反応熱によって排ガスが高温となっても、排ガス冷却部の冷却水が低温であるうちは、排ガスが排ガス冷却部を通過する際に排ガスの熱が奪われてしまう。しかも、排ガス冷却部は内燃機関の燃焼室から離れて設けられているため、燃焼室で発生した熱が排ガス冷却部へ伝熱され難く、排ガス冷却部内の冷却水は温度上昇が遅れる。そのため、触媒に至る排ガスが低温の排ガスである時間が長く、触媒を早期に暖機することができない。また、特許文献３に記載の二次空気導入装置のように、二次空気導入口がシリンダヘッド内の冷却水通路より上流にある場合、二次空気と排ガス中の未燃焼物質との反応熱はシリンダヘッド内の冷却水に吸熱されてしまうため、排ガス冷却部に至った排ガスの温度は低くなってしまう。よって、排ガス冷却部の冷却水は、排ガス冷却部を通過する排ガスから、早期に温度上昇するための十分な熱が与えられない。
【０００７】
この発明は、上述のような課題を解決するためになされたものであり、排ガス冷却部と二次空気導入装置を有する内燃機関において、排ガス冷却部の早期の温度上昇と、二次空気導入装置による触媒暖機の促進の両立を図ることを目的とする。
【課題を解決するための手段】
【０００８】
第１の発明は、上記の目的を達成するために、内燃機関の燃焼室で発生した排ガスを車外へ導く排気通路と、該排気通路のうちシリンダヘッドより下流に設けられた触媒と、前記排気通路のうち前記シリンダヘッドと前記触媒の間に設けられ前記排気通路を覆うように冷却水通路が形成された排ガス冷却部と、前記排気通路中に二次空気を導入するための二次空気用通路と、を有する内燃機関の二次空気導入装置において、前記二次空気用通路と前記排気通路との連通部である二次空気導入口が、前記排気通路のうち、前記排ガス冷却部の下流端と、前記排ガス冷却部より上流かつ前記排ガス冷却部のもっとも近くで冷却水通路中の冷却水に冷却される箇所の下流端、との間に形成されていることを特徴とする。
【０００９】
この構成によれば、排ガス中の未燃焼ガスと二次空気とが反応することによって生じる反応熱は、排ガス冷却部の下流端と、排ガス冷却部より上流かつ前記排ガス冷却部のもっとも近くで冷却水通路中の冷却水に冷却される箇所の下流端との間で発生する。そのため、発生した反応熱は排ガス冷却部に至るまで他の冷却水には熱が奪われず、排ガス冷却部内の冷却水の温度上昇に利用される。結果、排ガス冷却部内の冷却水の温度が早期に高温となることから、排ガス冷却部を通過する排ガスは大きく温度が下がらずに触媒に至ることができ、触媒は早期に暖機される。
【００１０】
また、第２の発明は、第１の発明において、前記二次空気導入口が、前記排気通路のうち、前記シリンダヘッド内に形成された冷却水通路の下流端と、前記シリンダヘッドの下流で前記シリンダヘッドのもっとも近くに設けられた排ガス冷却部の上流端、との間に形成されたことを特徴とする。
【００１１】
この構成によれば、前記二次空気は、排気通路のうち前記シリンダヘッド内に形成された冷却水通路の下流端より下流で供給されるので、二次空気と排ガス中の未燃焼物質が反応することによって生じた反応熱はシリンダヘッド内の冷却水に奪われることなく排ガス冷却部の冷却水の温度上昇に用いられる。一方、二次空気が排ガス冷却部よりも上流で供給されるため、前記反応熱は排ガス冷却部の全領域に渡って冷却水に吸熱される。そのため、排ガス冷却部内の冷却水の温度が早期に上昇されることから、排ガス冷却部を通過する排ガスは大きく温度が下がらずに触媒に至ることができ、触媒は早期に暖機される。
【００１２】
また、第３の発明は、第１または第２の発明において、前記シリンダヘッドの側部には、内部に前記排ガス冷却部を有する排ガス冷却アダプタが取り付けられ、前記排ガス冷却アダプタには二次空気用通路が形成されていることを特徴とする。
【００１３】
この構成によれば、排ガス冷却アダプタを備えた内燃機関に二次空気導入装置を設けるにあたり、排ガス冷却アダプタ内も二次空気用通路として利用することができることから、シリンダヘッド内にのみ二次空気用通路が形成されているときに比べて、二次空気導入装置の取り付け自由度が向上する。
【００１４】
第４の発明によれば、第１乃至第３の発明において、前記排ガス冷却アダプタ内に設けられた二次空気用通路が前記排ガス冷却アダプタ内の冷却水通路を循環する冷却水によって冷却されることを特徴とする。
【００１５】
この発明によれば、排ガス冷却部の冷却水は、排気通路を通過する排ガスからだけでなく、二次空気用通路内に逆流・滞留する排ガスからも吸熱することができる。
【００１６】
また、この発明によれば、二次空気用通路内に逆流・滞留する排ガスの熱が冷却水に吸熱されることでその温度が低下するので、二次空気用通路や、二次空気用通路内に設けられる逆支弁等の構造物に要求される耐熱性が抑えられ、部品コストが低減される。
【図面の簡単な説明】
【００１７】
【図１】二次空気導入装置の全体図である。
【図２】冷却水経路を模式的に示す図である。
【図３】第１の実施例についての排ガス冷却アダプタ斜視図である。
【図４】第１の実施例について内燃機関の要部を模式的に示す図である。
【図５】第２の実施例の二次空気用通路を示す図である。
【図６】その他の実施の形態を示す図である。
【発明を実施するための形態】
【００１８】
以下、本発明を実施するための最良の形態を図面と共に詳細に説明する。
【００１９】
図１は、本発明の実施例における二次空気導入装置を模式的に示す図である。エアクリーナ１の外部から導入された新気は、エアクリーナエレメント２を通過し、新気中に含まれるホコリ等の不純物が除去された後、スロットル弁１４を通り内燃機関８へと供給される。ここで、エアクリーナ１内のエアクリーナエレメント２を通過した新気の一部は、吸気通路２０を通らず、図示しないモータを備えたエアポンプ３によって吸引され、圧縮される。圧縮された新気は、二次空気として二次空気用通路４に圧送され、触媒５の上流に設けられた後述する排ガス冷却アダプタ６内の二次空気用通路４へと供給される。なお、二次空気用通路４には排ガスが流入するが、この排ガスがエアポンプ３やエアクリーナ１に逆流することを防ぐため、二次空気用通路４に逆支弁７等を適宜設けることができる。
【００２０】
図２は本発明の実施例における冷却水の経路を模式的に示す図である。冷却水経路中には冷却水温度が一定温度以上になったときに機械的に開弁しウォータポンプ５１とラジエータ５２間の冷却水通路を開通するサーモスタット５０が設けられている。サーモスタット５０が開弁しているとき、ウォータポンプ５１より送られた冷却水は分流され内燃機関８内と後述する排ガス冷却アダプタ６内のそれぞれを通過した後、合流しラジエータ５２に至る。ラジエータ５２内において冷却水は放熱し冷却され、サーモスタット５０を通り再びウォータポンプ５１へと循環される。一方、内燃機関の始動時等、冷却水温度が一定温度より低いときにはサーモスタット５０は閉弁している。このとき、ラジエータ５２とウォータポンプ５１間の冷却水通路は冷却水の循環が制限されるので、ウォータポンプ５１より送られた冷却水は内燃機関８内を循環後そのままサーモスタット５０に至る。また、排ガス冷却アダプタ６内の冷却水は経路上内燃機関８と切り離されているため、サーモスタット５０の閉弁時には排ガス冷却アダプタ６内の冷却水の循環は制限される。
【００２１】
図３は、本発明の第１の実施例における排ガス冷却アダプタ６を模式的に示す斜視図である。図３において、排ガス冷却アダプタ６は内燃機関８のシリンダヘッド９側面に締結され、排ガス冷却アダプタ６の他の側面は後述する排気マニホルド３１に締結され、それらシリンダヘッド９、排ガス冷却アダプタ６、排気マニホルド３１内の排気通路２１は連通している。また、排ガス冷却アダプタ６には冷却水導入口１１及び冷却水排出口１２が設けられており、冷却水入口１１から排ガス冷却アダプタ６内の冷却水通路に流入した冷却水は、排ガス冷却アダプタ６の排気通路２１を通過する排ガスを冷却し、冷却水出口１２に接続された図示しない冷却水通路へと流出される。また、排ガス冷却アダプタ６には二次空気用通路取り付けフランジ１２が形成されており、エアポンプ３に連通された二次空気用通路４はこの二次空気用通路取り付けフランジ１２に接続され、二次空気用通路４が排ガス冷却アダプタ６内の二次空気用通路４と連通する。
【００２２】
図４は、内燃機関８と排ガス冷却アダプタ６の要部を示すにあたり、図３をＡ―Ａ線に沿って切断した図である。この図において、９はシリンダヘッドを、１５はシリンダブロックを夫々示しており、シリンダヘッド９とシリンダブロック１５とはガスケット１６を挟んで互いに締結されてシリンダボア１７内に設けられたピストン１８の図４にて上方に燃焼室１９を形成している。シリンダヘッド９の一方の側には燃焼室１９に吸気を導くための吸気通路２０が、また他方の側には燃焼したガスを燃焼室１９から排気するための排気通路２１が設けられている。また、シリンダヘッド９には、吸気通路２０を開閉するための吸気弁２２と、排気通路２１を開閉するための排気弁２３とが夫々配設されている。シリンダヘッド９の上部には、これら吸気弁２２と排気弁２３を駆動する図示しない動弁機構が配設されており、この動弁機構は夫々の弁を閉じる方向に付勢されているコイルスプリングや、夫々の弁を開くために駆動されるカムが形成されたカムシャフトのほか、ロッカーアームなどにより構成されている。なお、この動弁機構は、可変弁タイミング機構や可変弁リフト量機構を有していてもよい。吸気弁ガイド２４は吸気弁２２の動作を案内するためのものである。同様に、排気弁ガイド２５は排気弁２３の動作を案内するためのものである。シリンダヘッド９にはシリンダヘッド内冷却水通路２６が、またシリンダブロック１５にはシリンダブロック内冷却水通路２７が夫々設けられている。
【００２３】
次に、図４を用いて特に排ガス冷却アダプタ６について説明する。シリンダヘッド９と排ガス冷却アダプタ６はガスケット３０を挟んで互いに締結されている。同様に、排ガス冷却アダプタ６と排気マニホルド３１はガスケット３２を挟んで互いに締結されている。すなわち、シリンダヘッド９、排ガス冷却アダプタ６、排気マニホルド３１はこの順番で締結されている。さらに、シリンダヘッド９内の排気通路２１と排気マニホルド３１内の排気通路２１を連通するように、排ガス冷却アダプタ６内にも排気通路２１が設けられている。また、排ガス冷却アダプタ６内には、排気通路２１の周囲を覆うように排ガス冷却部３３が設けられており、排気通路２１を通過する排ガスが冷却される。
【００２４】
上記に加え、排ガス冷却アダプタ６内には二次空気用通路４が設けられている。この二次空気用通路４は、排ガス冷却アダプタ６のシリンダヘッド９取り付け側の面で開口しており、一方、シリンダヘッド９に設けられた二次空気用通路４は、シリンダヘッド９に排ガス冷却アダプタ６が取り付けられたときに前記開口と連通するようにシリンダヘッド９側面で開口している。さらに、シリンダヘッド９と排ガス冷却アダプタ６の間に挟まれたガスケット３０には、それら二次空気用通路４が連通するように孔が設けられている。したがって、排ガス冷却アダプタ６をシリンダヘッド９に取り付けたときには、排ガス冷却アダプタ６内の二次空気用通路４とシリンダヘッド９内の二次空気用通路４は連通する。そして、エアポンプ３により二次空気が供給されたときには、二次空気は二次空気用通路４内を通り、シリンダヘッド９内の二次空気導入口３５から排気通路２１に導入される。この二次空気導入口３５は、シリンダヘッド９内の排気通路２１のうち、周囲が冷却水通路２６によって覆われた箇所よりも下流に形成される。
【００２５】
内燃機関８の始動時、触媒５を早期に暖機するため、前記二次空気導入装置が作動し二次空気導入口３５から二次空気が排気通路２１に供給される。このとき、二次空気導入口３５は排ガス冷却アダプタ６内の排ガス冷却部３３よりも上流に形成されているので、二次空気導入口３５に至った排ガスは排ガス冷却部３３によって冷却されておらず、高温の状態を保っている。したがって、排ガスと二次空気導入口３３から供給される二次空気はよく反応することができる。また、当該反応は、排気通路２１のうちシリンダヘッド内冷却水通路２６より下流で起こるので、当該反応により発生した反応熱がシリンダヘッド内冷却水通路２６中の冷却水に奪われることがない。したがって、排ガス冷却部３３に至った排ガスは、二次空気によって昇温された状態である。
【００２６】
またこのとき、内燃機関８が早期に暖機するために、サーモスタット５０が閉弁され内燃機関８内を循環する冷却水がラジエータ５２内で冷却されることが防止されるとともに、排ガス冷却アダプタ６内の排ガス冷却部３３の冷却水は循環されない。したがって、排ガス中の未燃焼物と二次空気が反応することによって高温にされた排ガスが排ガス冷却アダプタ６内の排気通路２１を通過する時、排ガスの熱が排ガス冷却部３３の冷却水に吸熱されることにより、排ガス冷却部３３の冷却水の温度上昇が促進される。排ガス冷却部３３の冷却水温度が高温になれば、排ガス冷却アダプタ６内の排気通路２１を通る排ガスは低温になることなく触媒５に至ることが可能となるから、結果的に触媒５の暖機が促進される。
【００２７】
また、触媒５の暖機が完了すると、エアポンプ３による二次空気の供給が停止されるが、このとき排気通路２１を通る排ガスが二次空気導入口３５を通って二次空気用通路４に流入する。ここで、本実施例においては排ガス冷却アダプタ６内の二次空気用通路４が排ガス冷却部によって冷却されることから、排ガス冷却部３３の冷却水は、二次空気用通路４に流入してきた排ガスからも吸熱することができ、温度上昇が促進される。逆に、流入してきた排ガスは冷却水に吸熱されることで温度が低下するので、二次空気用通路４に流入し滞留する排ガスによる、二次空気用通路４や逆支弁７の熱劣化を防ぐための耐熱加工を抑えることができ、部品コストの低減が図られる。
【００２８】
図５は、本発明における第２の実施例を示し、特に第１の実施例と相違する要部を模式的に示す図である。図５において、３７は内部が二次空気の流通する二次空気用通路４となっている、二次空気導入管である。二次空気用通路４には、エアポンプ３から二次空気が供給される。排ガス冷却アダプタ６には挿通路３８が設けられ、シールリング３９が圧入されている。そして、このシールリング３９を内周から挟むように二次空気導入管３７が挿入される。したがって、第１の実施例と異なり、本実施例では二次空気用通路４が排ガス冷却アダプタに一体化されているのではなく、別体の二次空気導入管３７を排ガス冷却アダプタに挿通することで、排気通路２１に二次空気を導入する。なお、排気通路２１を流れる排ガスや、排気通路２１に導入された二次空気は、シールリング３９によって外部に漏れ出ることが防止される。また、本実施例においては、排ガス冷却アダプタ６内の排気通路２１に二次空気導入口４０が設けられているので、二次空気用通路４を通ってきた二次空気は、シリンダヘッド９内を介さずに排気通路２１に導入される。
【００２９】
以上のような構成をとるので、第２の実施例は第１の実施例の効果に加えて以下の効果を得ることができる。すなわち、挿通路３８に排ガス冷却アダプタ６と別体の二次空気導入管３７を挿入するので、二次空気用装置の故障時には二次空気導入管３７のみを交換することが可能となる。また、二次空気導入口４０が排ガス冷却アダプタ６に一体化されているので、内燃機関８に二次空気導入装置を設けるにあたってシリンダヘッド９に二次空気を導入するための加工を施す必要がなく、加工コストの低減が図られる。また、二次空気と排ガス中の未燃焼ガスとの反応により生じた反応熱が、シリンダヘッド内冷却水通路２６の冷却水に吸熱されないだけでなく、シリンダヘッド９自体にも吸熱されないので、排ガスが低温にならずに排ガス冷却部３３に至ることができ、排ガス冷却部３３の冷却水を早期に昇温することができる。
【００３０】
なお、第２の実施例において排ガス冷却アダプタ６に挿通路３８を設け、シールリング３９を介して二次空気導入管３７を挿入したが、排ガスが外部に漏れ出ることを防止できるのであれば必ずしもこのような構成でなくともよく、第１の実施例のように排ガス冷却アダプタ６に二次空気用通路４が一体的に設けられてもよい。同様に、第１の実施例において、第２の実施例のように、シリンダヘッド９及び排ガス冷却アダプタ６を連通する挿通路を設けるとともに、この挿通路にシールリングを圧入し二次空気導入管を挿入してもよい。
【００３１】
また、本発明の実施例において、図６のように排ガス冷却アダプタ３８の二次空気用通路４の上部を開口させるとともに、この開口を覆うように別体の二次空気用分配器４２を設けてもよい。二次空気用分配器４２は、図６の紙面直行方向に延び、その一端で、二次空気用分配機４２内の二次空気用通路４と、エアポンプ３から延びる二次空気用通路４とが連通している。このような構成により、排ガス冷却アダプタ６内に、図６の紙面直行方向に延びる二次空気用通路４を設ける必要がないので、排ガス冷却アダプタ６の加工コストが低減される。
【００３２】
また、本発明の実施例では排気通路２１に設ける排ガス冷却装置として排ガス冷却アダプタ６を示したが、排ガス冷却装置はこれに限られない。例えば、排気通路２１や排気マニホルド３１の管の一部を肉厚化するとともに管自体に空間部を設け、この空間部に冷却水が循環される構成としてもよい。また例えば、排気通路２１や排気マニホルド３１の周囲をカバー部材で覆い、カバー部材の内周面と排気通路２１や排気マニホルド３１の外周面によって密閉空間を形成するとともに、この密閉空間に冷却水が循環される構成としてもよい。
【００３３】
また、本発明の実施例では全体の冷却水経路として図２を示したが、これに限られない。例えば、内燃機関の下流に排ガス冷却装置がある冷却水経路であってもよい。内燃機関内から出た冷却水は排ガス冷却装置内に至までに放熱されるため、内燃機関内の冷却水水温に比べて排ガス冷却装置内の冷却水水温は低温となるからである。また、例えば内燃機関内を循環する冷却水経路と、排ガス冷却装置内を循環する冷却水経路が別経路であってもよい。内燃機関内で昇温された冷却水が排ガス冷却装置内に循環されないため、排ガス冷却装置内の冷却水水温は排ガス冷却装置内の排ガス通路を通過する排ガスによらなければ昇温されないため、内燃機関内の冷却水に比べて温度上昇が遅れるからである。
【００３４】
また、本発明においては排ガス冷却部が複数あってもよい。上流にある第１の排ガス冷却部と、下流にある第２の排ガス冷却部の間に二次空気を導入することによって、より昇温されにくい第２の排ガス冷却部内の冷却水の温度上昇を速めることができるからである。
【符号の説明】
【００３５】
１：エアクリーナ
２：エアクリーナエレメント
３：エアポンプ
４：二次空気用通路
５：触媒
６：排ガス冷却アダプタ
７：逆支弁
８：内燃機関
９：シリンダヘッド
１１：冷却水導入口
１２：冷却水排出口
１３：二次空気用通路取り付けフランジ
１４：スロットル弁
１５：シリンダブロック
１６，３０，３２：ガスケット
１７：シリンダボア
１８：ピストン
１９：燃焼室
２０：吸気通路
２１：排気通路
２２：吸気弁
２３：排気弁
２４：吸気弁ガイド
２５：排気弁ガイド
２６：シリンダヘッド内冷却水通路
２７：シリンダブロック内冷却水通路
３１：排気マニホルド
３３：排ガス冷却部
３５，４０：二次空気導入口
４７：二次空気導入管
３８：挿通路
３９：シールリング
４２：二次空気用分配器
５０：サーモスタット
５１：ウォータポンプ
５２：ラジエータ
【図１】
2010255597.tif 000003
【図２】
2010255597.tif 000004
【図３】
2010255597.tif 000005
【図４】
2010255597.tif 000006
【図５】
2010255597.tif 000007
【図６】
2010255597.tif 000008